【手続補正書】
【提出日】平成24年6月20日(2012.6.20)
【手続補正１】
【補正対象書類名】特許請求の範囲
【補正対象項目名】全文
【補正方法】変更
【補正の内容】
【特許請求の範囲】
【請求項１】
原稿を読み取る読取部を有する画像処理装置であって、
印刷ジョブが、原稿を前記読取部で読み取ることによって生成されたスキャンジョブであるか、外部装置から入力されたジョブであるかを判定する判定手段と、
前記判定手段による判定の結果、前記印刷ジョブがスキャンジョブであると判定された場合、該スキャンジョブから生成されるカラー画像をモノクロ変換した画像を記録媒体上に出力した際に、前記カラー画像に含まれるセキュリティ情報が人間の目で識別し難いように変換するカラーモノクロ変換方法を用いて、前記スキャンジョブから生成されるカラー画像をモノクロ画像に変換し、
前記判定手段による判定の結果、前記印刷ジョブが外部装置から入力されたジョブであると判定された場合、前記外部装置または前記画像処理装置で設定されたカラーモノクロ変換方法を用いて、前記外部装置から入力されたジョブから生成されるカラー画像をモノクロ画像に変換する変換手段と
を有することを特徴とする画像処理装置。
【請求項２】
前記セキュリティ情報は、黄色のドットであることを特徴とする請求項１記載の画像処理装置。
【請求項３】
前記変換手段は、前記印刷ジョブがスキャンジョブであると判定された場合、ｓＲＧＢのカラーモノクロ変換方法を用いて、前記スキャンジョブから生成されるカラー画像をモノクロ画像に変換することを特徴とする請求項１または２に記載の画像処理装置。
【請求項４】
前記セキュリティ情報は、黄色の孤立点であり、
さらに、前記スキャンジョブから生成されるカラー画像に含まれる黄色の孤立点を判定する孤立点判定手段を有し、
前記変換手段は、前記孤立点判定手段によって黄色の孤立点が検出された場合、前記孤立点をモノクロ変換した画像を記録媒体上に出力した際に、前記孤立点が人間の目で識別し難いようなカラーモノクロ変換方法を用いて前記孤立点をモノクロ画像に変換し、前記黄色の孤立点以外の画素に対しては、前記外部装置または前記画像処理装置で設定されたカラーモノクロ変換方法を用いてモノクロ画像に変換することを特徴とする請求項１記載の画像処理装置。
【請求項５】
前記孤立点判定手段によって黄色の孤立点が検出された場合、前記黄色の孤立点は、ｓＲＧＢのカラーモノクロ変換方法を用いてモノクロ画像に変換されることを特徴とする請求項４記載の画像処理装置。
【請求項６】
さらに、原稿モードを判定するモード判定手段を有し、
前記変換手段は、前記判定手段によって前記カラー画像は原稿を読取部で読み取ることによって生成された画像であると判定され、かつ、前記モード判定手段によって原稿モードが孫コピーモードであると判定された場合、前記セキュリティ情報をモノクロ変換した画像を記録媒体上に出力した際に、前記セキュリティ情報が人間の目で識別し難いようなカラーモノクロ変換方法を用いて前記カラー画像をモノクロ画像に変換し、前記モード判定手段によって原稿モードが孫コピーモードではないと判定された場合、前記外部装置または前記画像処理装置で設定されたカラーモノクロ変換方法を用いて前記カラー画像をモノクロ画像に変換することを特徴とする請求項１記載の画像処理装置。
【請求項７】
前記外部装置または前記画像処理装置で設定されるカラーモノクロ変換方法は、少なくともＮＴＳＣ方式、ｓＲＧＢ方式、ＲＧＢ均等方式のいずれかの方式であることを特徴とする請求項１乃至６のいずれか一項に記載の画像処理装置。
【請求項８】
原稿を読み取る読取部を有する画像処理装置であって、
カラー画像をモノクロ画像に変換する際に用いる、前記カラー画像のＲＧＢ成分の混合比率が異なる複数のカラーモノクロ変換方法を有し、
印刷ジョブが、原稿を前記読取部で読み取ることによって生成されたスキャンジョブであるか、外部装置から入力されたジョブであるかを判定する判定手段と、
前記判定手段による判定の結果、前記印刷ジョブがスキャンジョブであると判定された場合、前記複数のカラーモノクロ変換方法の中から他のカラーモノクロ変換方法に比べてＢ成分の比率が小さいカラーモノクロ変換方法を用いて、前記スキャンジョブから生成されるカラー画像をモノクロ画像に変換し、
前記判定手段による判定の結果、前記印刷ジョブが外部装置から入力されたジョブであると判定された場合、前記外部装置または前記画像処理装置で設定されたカラーモノクロ変換方法を用いて、前記外部装置から入力されたジョブから生成されるカラー画像をモノクロ画像に変換する変換手段と
を有することを特徴とする画像処理装置。
【請求項９】
印刷ジョブが、原稿を読取部で読み取ることによって生成されたスキャンジョブであるか、外部装置から入力されたジョブであるかを判定する判定ステップと、
前記判定手ステップによる判定の結果、前記印刷ジョブがスキャンジョブであると判定された場合、該スキャンジョブから生成されるカラー画像をモノクロ変換した画像を記録媒体上に出力した際に、前記カラー画像に含まれるセキュリティ情報が人間の目で識別し難いように変換するカラーモノクロ変換方法を用いて、前記スキャンジョブから生成されるカラー画像をモノクロ画像に変換し、
前記判定ステップによる判定の結果、前記印刷ジョブが外部装置から入力されたジョブであると判定された場合、前記外部装置または前記画像処理装置で設定されたカラーモノクロ変換方法を用いて、前記外部装置から入力されたジョブから生成されるカラー画像をモノクロ画像に変換する変換ステップと
を有することを特徴とする画像処理方法。
【請求項１０】
印刷ジョブが、原稿を前記読取部で読み取ることによって生成されたスキャンジョブであるか、外部装置から入力されたジョブであるかを判定する判定ステップと、
前記判定ステップによる判定の結果、前記印刷ジョブがスキャンジョブであると判定された場合、カラー画像のＲＧＢ成分の混合比率が異なる複数のカラーモノクロ変換方法の中から、他のカラーモノクロ変換方法に比べてＢ成分の比率が小さいカラーモノクロ変換方法を用いて、前記スキャンジョブから生成されるカラー画像をモノクロ画像に変換し、
前記判定ステップによる判定の結果、前記印刷ジョブが外部装置から入力されたジョブであると判定された場合、前記外部装置または前記画像処理装置で設定されたカラーモノクロ変換方法を用いて、前記外部装置から入力されたジョブから生成されるカラー画像をモノクロ画像に変換する変換ステップと
を有することを特徴とする画像処理方法。
【請求項１１】
コンピュータを、請求項１乃至８の何れか１項に記載の画像処理装置として機能させるためのプログラム。
【手続補正２】
【補正対象書類名】明細書
【補正対象項目名】００１０
【補正方法】変更
【補正の内容】
【００１０】
上記目的を達成するために、本発明の画像処理装置は以下の構成を有する。原稿を読み取る読取部を有する画像処理装置であって、印刷ジョブが、原稿を前記読取部で読み取ることによって生成されたスキャンジョブであるか、外部装置から入力されたジョブであるかを判定する判定手段と、前記判定手段による判定の結果、前記印刷ジョブがスキャンジョブであると判定された場合、該スキャンジョブから生成されるカラー画像をモノクロ変換した画像を記録媒体上に出力した際に、前記カラー画像に含まれるセキュリティ情報が人間の目で識別し難いように変換するカラーモノクロ変換方法を用いて、前記スキャンジョブから生成されるカラー画像をモノクロ画像に変換し、前記判定手段による判定の結果、前記印刷ジョブが外部装置から入力されたジョブであると判定された場合、前記外部装置または前記画像処理装置で設定されたカラーモノクロ変換方法を用いて、前記外部装置から入力されたジョブから生成されるカラー画像をモノクロ画像に変換する変換手段とを有する。
【手続補正３】
【補正対象書類名】明細書
【補正対象項目名】００１１
【補正方法】変更
【補正の内容】
【００１１】
また、本発明の画像処理装置は、原稿を読み取る読取部を有する画像処理装置であって、
カラー画像をモノクロ画像に変換する際に用いる、前記カラー画像のＲＧＢ成分の混合比率が異なる複数のカラーモノクロ変換方法を有し、印刷ジョブが、原稿を前記読取部で読み取ることによって生成されたスキャンジョブであるか、外部装置から入力されたジョブであるかを判定する判定手段と、前記判定手段による判定の結果、前記印刷ジョブがスキャンジョブであると判定された場合、前記複数のカラーモノクロ変換方法の中から他のカラーモノクロ変換方法に比べてＢ成分の比率が小さいカラーモノクロ変換方法を用いて、前記スキャンジョブから生成されるカラー画像をモノクロ画像に変換し、前記判定手段による判定の結果、前記印刷ジョブが外部装置から入力されたジョブであると判定された場合、前記外部装置または前記画像処理装置で設定されたカラーモノクロ変換方法を用いて、前記外部装置から入力されたジョブから生成されるカラー画像をモノクロ画像に変換する変換手段とを有する。